【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザ端末によって、送信電力レベルで、前記第１のユーザ端末がアップリンクデータを送信するための要求と、少なくとも１つの要求される動作パラメータの指示とを備える、第１のワイヤレスメッセージを送信することと、前記第１のワイヤレスメッセージは、前記送信電力レベルをさらに示す、
前記第１のユーザ端末によって、前記第１のワイヤレスメッセージに応答してアクセスポイントから第２のワイヤレスメッセージを受信することと、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示し、前記第２のワイヤレスメッセージは、電力バックオフの指示をさらに備え、前記電力バックオフの指示は、前記第１のワイヤレスメッセージの前記送信電力レベルに基づく、方法。
【請求項２】
前記第１のユーザ端末がアップリンクデータを送信するための前記要求は、アップリンク多ユーザ多入力多出力送信機会のための要求を備える、請求項１に記載の方法。
【請求項３】
前記少なくとも１つの要求される動作パラメータは、前記アップリンクデータのために要求される送信時間を備える、請求項１に記載の方法。
【請求項４】
前記推定送信時間パラメータは、アップリンク多ユーザ多入力多出力送信機会の持続時間を示す、請求項３に記載の方法。
【請求項５】
前記推定送信時間パラメータは、前記第１のユーザ端末が計画された変調およびコーディング方式で前記アップリンクデータを送信するために必要とされる持続時間を示す、請求項３に記載の方法。
【請求項６】
アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項３に記載の方法。
【請求項７】
前記少なくとも１つの要求される動作パラメータは、ユーザ端末の動作モードと、コンテンションパラメータと、アップリンクデータ送信のために用いる空間ストリームの数と、アップリンク送信を開始するための前記第２のワイヤレスメッセージの前記受信と比較された時間調整と、アップリンク送信のためのチャネルと、トラフィック識別子と、送信モードと、トラフィック識別子ごとのキュー情報とを示す、請求項１に記載の方法。
【請求項８】
アップリンクデータを送信するために選択された前記複数のユーザ端末の前記ユーザ端末と同時に、アップリンク多ユーザ多入力多出力送信で、前記第１のユーザ端末によって前記アップリンクデータを送信することをさらに備える、請求項１に記載の方法。
【請求項９】
前記第１のワイヤレスメッセージは、リクエストツートランスミットフレーム、リクエストツーセンドフレーム、データフレーム、サービス品質フレーム、または電力節約ポールフレームを備える、請求項１に記載の方法。
【請求項１０】
前記第２のワイヤレスメッセージは、クリアツートランスミットメッセージを備える、請求項１に記載の方法。
【請求項１１】
前記少なくとも１つの動作パラメータは、前記第２のワイヤレスメッセージの直後の前記アップリンク送信のための開始時間を特定する、請求項１に記載の方法。
【請求項１２】
前記第２のワイヤレスメッセージは、前記第１のワイヤレスメッセージの前記受信に確認応答するが、アップリンクデータを送信するために前記第１のユーザ端末を選択しない、請求項１に記載の方法。
【請求項１３】
前記第２のワイヤレスメッセージは、前記第１のワイヤレスメッセージの前記受信に確認応答し、遅れた開始時間におけるアップリンク送信を前記第１のユーザ端末に認める、請求項１に記載の方法。
【請求項１４】
ワイヤレス通信のためのデバイスであって、
送信電力レベルで、第１のユーザ端末がアップリンクデータを送信するための要求と、少なくとも１つの要求される動作パラメータの指示とを備える、第１のワイヤレスメッセージを送信するように構成される送信機と、前記第１のワイヤレスメッセージは、前記送信電力レベルをさらに示す、
前記第１のワイヤレスメッセージに応答してアクセスポイントから第２のワイヤレスメッセージを受信するように構成される受信機と、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示し、前記第２のワイヤレスメッセージは、電力バックオフの指示をさらに備え、前記電力バックオフの指示は、前記第１のワイヤレスメッセージの前記送信電力レベルに基づく、デバイス。
【請求項１５】
前記第１のユーザ端末がアップリンクデータを送信するための前記要求は、アップリンク多ユーザ多入力多出力送信機会のための要求を備える、請求項１４に記載のデバイス。
【請求項１６】
前記少なくとも１つの要求される動作パラメータは、前記アップリンクデータのために要求される送信時間を備える、請求項１４に記載のデバイス。
【請求項１７】
前記推定送信時間パラメータは、アップリンク多ユーザ多入力多出力送信機会の持続時間を示す、請求項１６に記載のデバイス。
【請求項１８】
前記推定送信時間パラメータは、前記第１のユーザ端末が計画された変調およびコーディング方式で前記アップリンクデータを送信するために必要とされる持続時間を示す、請求項１６に記載のデバイス。
【請求項１９】
アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項１６に記載のデバイス。
【請求項２０】
前記少なくとも１つの要求される動作パラメータは、ユーザ端末の動作モードと、コンテンションパラメータと、アップリンクデータ送信のために用いる空間ストリームの数と、アップリンク送信を開始するための前記第２のワイヤレスメッセージの前記受信と比較された時間調整と、アップリンク送信のためのチャネルと、トラフィック識別子と、送信モードと、トラフィック識別子ごとのキュー情報とを示す、請求項１４に記載のデバイス。
【請求項２１】
前記送信機はさらに、アップリンクデータを送信するために選択される前記複数のユーザ端末の前記ユーザ端末と同時に、アップリンク多ユーザ多入力多出力送信で、前記アップリンクデータを送信するように構成される、請求項１４に記載のデバイス。
【請求項２２】
前記第１のワイヤレスメッセージは、リクエストツートランスミットフレーム、リクエストツーセンドフレーム、データフレーム、サービス品質フレーム、または電力節約ポールフレームを備える、請求項１４に記載のデバイス。
【請求項２３】
前記第２のワイヤレスメッセージは、クリアツートランスミットメッセージを備える、請求項１４に記載のデバイス。
【請求項２４】
前記少なくとも１つの動作パラメータは、前記第２のワイヤレスメッセージの直後の前記アップリンク送信のための開始時間を特定する、請求項１４に記載のデバイス。
【請求項２５】
前記第２のワイヤレスメッセージは、前記第１のワイヤレスメッセージの前記受信に確認応答するが、アップリンクデータを送信するために前記第１のユーザ端末を選択しない、請求項１４に記載のデバイス。
【請求項２６】
前記第２のワイヤレスメッセージは、前記第１のワイヤレスメッセージの前記受信に確認応答し、遅れた開始時間におけるアップリンク送信を前記第１のユーザ端末に認める、請求項１４に記載のデバイス。
【請求項２７】
ワイヤレス通信のための方法であって、
第１のユーザ端末がアップリンクデータを送信するための要求と、少なくとも１つの要求される動作パラメータの指示とを備える、第１のワイヤレスメッセージを受信することと、前記第１のワイヤレスメッセージは、前記第１のワイヤレスメッセージの送信電力レベルの指示をさらに備える、
前記送信電力レベルに基づいて電力バックオフの指示を決定することと、
前記第１のワイヤレスメッセージに応答して第２のワイヤレスメッセージを送信することと、を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示し、前記第２のワイヤレスメッセージは、前記電力バックオフの指示をさらに備える、方法。
【請求項２８】
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項２７に記載の方法。
【請求項２９】
ワイヤレス通信のためのデバイスであって、
第１のユーザ端末がアップリンクデータを送信するための要求と、少なくとも１つの要求される動作パラメータの指示とを備える、第１のワイヤレスメッセージを受信するように構成される受信機と、前記第１のワイヤレスメッセージは、前記第１のワイヤレスメッセージの送信電力レベルの指示をさらに備える、
前記送信電力レベルに基づいて電力バックオフの指示を決定することと、
前記第１のワイヤレスメッセージに応答して第２のワイヤレスメッセージを送信するように構成される送信機と、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示し、前記第２のワイヤレスメッセージは、前記電力バックオフの指示をさらに備える、デバイス。
【請求項３０】
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項２９に記載のデバイス。
【請求項３１】
前記少なくとも１つの動作パラメータは、ユーザ端末の動作モードを示し、前記動作モードは、前記第１のユーザ端末が、前記アクセスポイントによって示された時間間隔の間にアップリンクを開始するのか、コンテンションプロトコルに基づいてアップリンクを開始するのかを示す、請求項７に記載の方法。
【請求項３２】
前記少なくとも１つの動作パラメータは、アップリンク送信のために用いる空間ストリームの数を示す、請求項７に記載の方法。
【請求項３３】
前記少なくとも１つの動作パラメータは、アップリンク送信のためのチャネルを示す、請求項７に記載の方法。
【請求項３４】
前記少なくとも１つの動作パラメータは、アップリンク送信のためのトラフィック識別子を示す、請求項７に記載の方法。
【請求項３５】
前記少なくとも１つの動作パラメータは、トラフィック識別子ごとのキュー情報を示す、請求項３４に記載の方法。
【請求項３６】
前記第２のワイヤレスメッセージは、アップリンク送信を開始するための前記第２のワイヤレスメッセージの前記受信と比べた時間調整を示す、請求項１に記載の方法。